(57)【要約】      （修正有）【目的】ケース内に収容する測定テープの大部分を引き出して使用する際に、測定テープ長手方向の両側端部とダンパの測定テープ通過路内における上方部材との接触で生じる同上方部材の傷付きを低減できる巻尺を提供する。【解決手段】ケース１の前壁側に設けた測定テープ３の出入り口１ｂに、同測定テープ３を収容する際に測定テープ３先端に設けた先端部材が衝突した場合の緩衝部材と、テープのガイドとを兼ねるダンパ５を備える自動巻取り式の巻尺であって、ケース１に設けた測定テープ３の出入り口１ｂのケース内奥方に、回転ドラム２と回転面４を同じくする回転体４を設け、回転ドラム２に巻き回された測定テープ３を、回転体４に掛け渡して経由させ、出入り口１ｂから外部に導出させる。【選択図】図１
0003147681.tif 000002
【実用新案登録請求の範囲】
【請求項１】
ケース内に、測定テープを周囲に巻き回し、同測定テープを巻き取り方向に付勢する付勢手段を内装する回転ドラムが回転自在に支持され、前記ケースの前壁側に設けた測定テープの出入り口に、同測定テープを収容する際に測定テープ先端に設けた先端部材が衝突した場合の緩衝部材と、テープのガイドとを兼ねるダンパを備える自動巻取り式の巻尺であって、前記ケースに設けた測定テープの出入り口のケース内奥方に、前記回転ドラムと回転面を同じくする回転体を設け、回転ドラムに巻き回された測定テープを、前記回転体に掛け渡して経由させ、前記出入り口から外部に導出してなる巻尺。
【請求項２】
前記回転体を、回転ドラムの中心よりもケースの後壁寄りに配設してなる請求項１に記載の巻尺。
【請求項３】
前記ケースを、マグネシウムを主体とする合金で形成してなる請求項１に記載の巻尺。
【考案の詳細な説明】
【技術分野】
【０００１】
本考案は、測定テープ自動巻取り式の巻尺に関し、より詳しくは、ケースの内外に出入りする測定テープによってケースの測定テープ出入り口に設けたダンパに生じる傷付を防止できる巻尺に関する。
【背景技術】
【０００２】
従来、巻尺ケースの測定テープ出入り口には樹脂素材からなるダンパ（緩衝部材）を設けている。このダンパは、測定テープの先端に設けられて、被測定部材の角部に引掛けたり押し当てたりして使用される一般的にフックと称される先端部材が、測定テープをケースに収容する際に出入り口へ衝突するときのエネルギーを緩和する目的で用いられる（例えば、特許文献１参照）。
【０００３】
ところで、測定テープの大部分がケース内に収容されている状態、すなわち図４中の（ａ）に示す測定テープ１２の巻き数が多い状態では、ケース１３から引き出されている測定テープ１２は、回転ドラム１１からダンパ１４へ至る測定テープ１２のほぼ延長方向にある。
【０００４】
しかし、測定テープ１２の大部分がケース１３の外側に引き出されている状態、すなわち図４中の（ｂ）に示す測定テープ１２の巻き数が少ない状態では、使用者が測定テープ１２をケース１内より手で引き出したり、測定テープ１２をケース１内に自動収納させたりする際には、使用者たる人間の本能として測定テープ１２をケース１の測定テープ出入り口１３ａの開口面に略正対させようとすることもあり、回転ドラム１１から延びる測定テープ１２はダンパ１４の部分で折り曲げられ、したがって測定テープ１２の長手方向の両側端部１２ａが前記ダンパ１４の測定テープ通過路内における上方部材１４ａにそれぞれ接触（図中の符号Ａ）して（拡大図：図４中の（ｃ）図参照）、この接触によって同測定テープ１２の長手方向の両側端部１２ａでダンパ１４の上方部材１４ａに筋状の傷を付けてしまう。
【０００５】
したがって、この筋状の傷が一度付いてしまうと、測定テープが出入りする際に同測定テープがこの傷に案内され、測定テープ長手方向の両側端部で傷をさらに深く削り込んで行って最終的にはダンパの上方部材が切断されて、測定テープの引き出しあるいは収納時にこの破片が飛び散って使用者が負傷する危険性があった。
【０００６】
また、上述のように測定テープ長手方向の側端部が傷に案内されて、同測定テープによって傷が深く削り込まれるに従い測定テープの上下面に印刷している目盛りが同傷部と摺動し、この摺動によって目盛りの印刷が削られてその表示が薄れ、測定作業における精度が低下する恐れもあった。
【０００７】
そして、上述のように目盛りが薄れてきた場合、使用者がプロフェッショナルである場合にはその大多数が巻尺自体を交換してしまうので、機構的には充分使用に耐え得るすなわち耐用年数に到達していない巻尺が廃棄処分されることになり、環境に優しい製品とは言い難いものであった。
【０００８】
【特許文献１】特開２００４−２５７７４号公報（第１〜１０頁、図１〜１０）
【考案の開示】
【考案が解決しようとする課題】
【０００９】
本考案は、ケース内に収容する鋼製の測定テープの大部分を引き出して使用する際に、測定テープ長手方向の両側端部とダンパの測定テープ通過路内における上方部材とが接触することで生じる同上方部材の傷付きを防止して、巻尺を長期に渡り安定かつ安全に使用することができる環境に優しい巻尺を提供できるようにした。
【課題を解決するための手段】
【００１０】
上述した課題を解決するために、本考案に係る巻尺は、ケース内に、測定テープを周囲に巻き回し、同測定テープを巻き取り方向に付勢する付勢手段を内装する回転ドラムが回転自在に支持され、前記ケースの前壁側に設けた測定テープの出入り口に、同測定テープを収容する際に測定テープ先端に設けた先端部材が衝突した場合の緩衝部材と、テープのガイドとを兼ねるダンパを備える自動巻取り式の巻尺であって、前記ケースに設けた測定テープの出入り口のケース内奥方に、前記回転ドラムと回転面を同じくする回転体を設け、回転ドラムに巻き回された測定テープを、前記回転体に掛け渡して経由させ、前記出入り口から外部に導出した構造のものとしてある。
【００１１】
また前記回転体を、回転ドラムの中心よりもケースの後壁寄りに配設したものとしてある。
【００１２】
さらに前記ケースを、マグネシウムを主体とする合金で形成したものとしてある。
【考案の効果】
【００１３】
本考案の巻尺によれば、ケース内に収容する測定テープの大部分を引き出して使用する際も、測定テープ長手方向の両側端部とダンパの測定テープ通過路内における上方部材とが接触しにくいので、例えば測定テープが鋼製で、幅方向の両端が上方に湾曲していてもダンパの上方部材には傷が付きにくい。
【００１４】
そして、測定テープ長手方向の両側端部とダンパの測定テープ通過路内における上方部材とが接触しにくいことから測定テープも傷つく恐れはほとんどなく、したがって測定テープに表示している目盛りも長期に渡ってはっきりと見ることができて、巻尺を長期に渡り安定して使用することができる。
【００１５】
また、測定テープ長手方向の両側端部とダンパの測定テープ通過路内における上方部材とが接触しにくいので、ダンパ上方部材の切断による切断破片の飛び散りの危険性も低く、したがって使用者の安全も確保できる。
【００１６】
そして、マグネシウムを主体とする合金でケースを形成することにより、マグネシウムは変形に対する抗力が大なのでケースの耐衝撃性が向上し、巻尺を落としてケースに衝突による大なる衝撃が加わった場合等でもケースの変形を大に低減でき、したがってダンパを保持する部材であるケースの耐衝撃性の向上に伴って、ダンパの耐衝撃性も向上を期することができ、またケース内に設けた回転体の衝撃による支持体からの脱落等の損傷のおそれを低減できる。
【考案を実施するための最良の形態】
【００１７】
本考案に係る巻尺は、図１に示すように、回転ドラム２に巻き回す鋼製の測定テープ３を、回転面が回転ドラム２と同じであってそしてケース１の測定テープ出入り口１ｂの奥方に配設した回転体４を経由させて、ケース１の前壁側に設けた測定テープ出入り口１ｂからケース１の外部に案内しているものである。
【００１８】
回転体４は、実施例に示したように、ケース１に立設する軸４ａに回転自在に設ける場合がある。
【００１９】
また回転体４は、ラジアルベアリングやローラ等の部材を用いて構成する場合がある。
【００２０】
また回転体４の軸方向の幅は、測定テープ３の幅とほぼ同じにするが、しかしながら回転体４を通過する測定テープ３がこの回転体４上で横振れしにくい構造であれば、回転体４の軸方向の幅を測定テープ３の幅より小なるものにしてもよい。
【００２１】
そして、回転体４はケース１の測定テープ出入り口１ｂ内に設けるダンパ５のケース１内奥方（後壁側）に設けるが、実施例に示すように、回転体４を、回転ドラム２を支持している軸７よりもケースの後壁１ａ寄りに設けることにより、同回転体４を通過するまで平坦になっている測定テープ３が、測定テープ出入り口１ｂよりケース１外部に出るまでの間に同測定テープ３における幅方向の湾曲形状を充分に復帰することができる。
なお、前記ダンパ５は測定テープ３を長手方向に挿通できるよう上下左右を囲む構造のものとしてあり、例えば合成樹脂製のもので構成されている。
【００２２】
また、図１、図２に示した巻尺は、ケース１内より引き出した測定テープ３を引き出した位置で固定するブレーキ機構を装備していない巻尺であるが、前述のように、回転体４を、回転ドラム２を支持している軸７よりもケースの後壁１ａ寄りに設けることにより、同ブレーキ機構を装備する例えば図３に示すような巻尺にも適応できる。
【００２３】
またケースは、ケースの耐衝撃性を大にするためにマグネシウムを主体とする合金で形成する場合がある。
【００２４】
したがって、上述のように回転ドラム２に巻き回する測定テープ３を、回転面が回転ドラム２と同じでさらに測定テープ出入り口１ｂの後方に配設している回転体４を経由させて測定テープ出入り口１ｂからケース１の外部に案内しているので、ケース１外部に引き出された測定テープ３が回転ドラム２に巻き取られてケース１の測定テープ出入り口１ｂの開口面を通過する際に、測定テープ３の目盛り表示面が同測定テープ出入り口１ｂの開口面に対し終始略一定の角度で通過できるため、図２に示した回転ドラム２に巻き回している測定テープ３の巻き数が残り少ない状態から測定テープ３を自動で巻き取っても、測定テープ３長手方向の両側端部３ａとダンパ５の測定テープ３通過路内における上方部材５ａとの接触を低減できる。
【００２５】
実施例における図中の符号６は、測定テープ３の先端に設けられ、被測定部材に係止したり、押し当てたりして使用するための先端部材たるフック、符号８は、測定テープ３を自動でケース１内の回転ドラム２周囲に巻き取るための付勢手段たるばね、符号９は、引き出した測定テープ３を所望の引き出し位置で固定するためのブレーキレバー、符号１０は、巻尺を使用者の腰ベルトに係着させる際に用いるベルトクリップである。
【図面の簡単な説明】
【００２６】
【図１】本考案に係る巻尺の半ケースを取り除いた状態を示す側面図。
【図２】本考案に係る巻尺の半ケースを取り除いた状態を示す側面図。
【図３】ブレーキ機構を装備した巻尺の斜視図。
【図４】従来の巻尺の半ケースを取り除いた状態を示す側面図。
【符号の説明】
【００２７】
１  ケース
１ａ  後壁
１ｂ  測定テープ出入り口
２  回転ドラム
３  測定テープ
３ａ  側端部
４  回転体
４ａ  軸
５  ダンパ
５ａ  上方部材
６  フック
７  軸
８  ばね
９  ブレーキレバー
１０  ベルトクリップ
１１  回転ドラム
１２  測定テープ
１２ａ  側端部
１３  ケース
１３ａ  測定テープ出入り口
１４  ダンパ
１４ａ  上方部材
【図１】
0003147681.tif 000003
【図２】
0003147681.tif 000004
【図３】
0003147681.tif 000005
【図４】
0003147681.tif 000006